(57)【要約】【課題】マウスポインタを介した効率的な情報入力ができる情報処理装置、情報処理装置での情報入力方法を提供する。【解決手段】電子情報処理装置１は、情報の入力を受け付ける入力部２と、入力部２を介して入力された情報を処理する情報処理部３と、情報処理部３で処理された情報を表示画面４１に表示する表示部４と、表示画面４１に表示され情報の入力を支援する入力支援手段としてのマウスポインタ５１とを備え、マウスポインタ５１の位置を操作して情報を入力する位置操作入力部２１と、表示画面４１を分割して複数の分割領域を構成する表示画面分割手段３６とを備える。位置操作入力部２１は、表示画面４１の第１方向Ｄｈｒでマウスポインタ５１の位置を操作する第１方向位置操作入力部２１ｈと、表示画面４１の第２方向Ｄｖｔでマウスポインタ５１の位置を操作する第２方向位置操作入力部２１ｖとを備える。【選択図】図１
2009104309.tif 000002
【特許請求の範囲】
【請求項１】
情報の入力を受け付ける入力部と、該入力部を介して入力された情報を処理する情報処理部と、該情報処理部で処理された情報を表示画面に表示する表示部と、前記表示画面に表示され情報の入力を支援する入力支援手段とを備える電子情報処理装置であって、
前記入力支援手段としてのマウスポインタの位置を操作して情報を入力する位置操作入力部と、
前記表示画面を分割して複数の分割領域を構成する表示画面分割手段とを備える
ことを特徴とする電子情報処理装置。
【請求項２】
請求項１に記載の電子情報処理装置であって、
前記表示画面分割手段は、前記表示画面の分割を指示する表示画面分割指示スイッチからの指示に基づいて前記表示画面の分割または非分割を切り換える構成としてある
ことを特徴とする電子情報処理装置。
【請求項３】
請求項１または請求項２に記載の電子情報処理装置であって、
前記表示画面の分割数を選定する分割数選定手段を備える
ことを特徴とする電子情報処理装置。
【請求項４】
請求項１ないし請求項３のいずれか一つに記載の電子情報処理装置であって、
分割領域に応じた分割位置を示す分割位置表示マークを表示する分割位置表示手段を備える
ことを特徴とする電子情報処理装置。
【請求項５】
請求項１ないし請求項４のいずれか一つに記載の電子情報処理装置であって、
隣接する他方の分割領域に重畳する分割重畳領域を各分割領域に設定する分割重畳領域設定手段を備える
ことを特徴とする電子情報処理装置。
【請求項６】
請求項１ないし請求項５のいずれか一つに記載の電子情報処理装置であって、
前記マウスポインタを配置する入力対象としての分割領域を選定する入力対象分割領域選定手段を備える
ことを特徴とする電子情報処理装置。
【請求項７】
請求項１ないし請求項６のいずれか一つに記載の電子情報処理装置であって、
入力対象としての分割領域が選定されたとき、選定された分割領域の中央部へ前記マウスポインタを移動して表示する選定分割領域中央部表示手段を備える
ことを特徴とする電子情報処理装置。
【請求項８】
請求項１ないし請求項７のいずれか一つに記載の電子情報処理装置であって、
前記マウスポインタの位置に対応する補助線を前記表示画面に表示する補助線表示手段を備える
ことを特徴とする電子情報処理装置。
【請求項９】
請求項１ないし請求項８のいずれか一つに記載の電子情報処理装置であって、
前記位置操作入力部の有効操作範囲の長さと前記マウスポインタの操作対象範囲とされた分割領域の前記位置操作入力部の方向に対応する長さとを１対１に比例対応させて入力する絶対制御形態と、前記位置操作入力部の有効操作範囲の長さと前記マウスポインタの操作対象範囲とされた分割領域の前記位置操作入力部の方向に対応する長さとを１対１に比例対応させずに入力する相対制御形態とを切り換える入力比切換スイッチを備える
ことを特徴とする電子情報処理装置。
【請求項１０】
請求項１ないし請求項９のいずれか一つに記載の電子情報処理装置であって、
前記位置操作入力部は、前記表示画面の第１方向で前記マウスポインタの位置を操作する第１方向位置操作入力部と、前記表示画面の前記第１方向と交差する第２方向で前記マウスポインタの位置を操作する第２方向位置操作入力部とを備える
ことを特徴とする電子情報処理装置。
【請求項１１】
情報の入力を受け付ける入力部と、該入力部を介して入力された情報を処理する情報処理部と、該情報処理部で処理された情報を表示画面に表示する表示部と、前記表示画面に表示され情報の入力を支援する入力支援手段とを備える電子情報処理装置での情報入力方法であって、
前記表示画面を分割して複数の分割領域を構成した状態で、前記入力支援手段としてのマウスポインタの位置を操作して情報を入力する
ことを特徴とする情報入力方法。
【請求項１２】
請求項１１に記載の情報入力方法であって、
分割領域に応じた分割位置を示す分割位置表示マークを表示する
ことを特徴とする情報入力方法。
【請求項１３】
請求項１１または請求項１２に記載の情報入力方法であって、
隣接する他方の分割領域に重畳する分割重畳領域を各分割領域に設定する
ことを特徴とする情報入力方法。
【請求項１４】
請求項１１ないし請求項１３のいずれか一つに記載の情報入力方法であって、
入力対象としての分割領域が選定されたとき、前記マウスポインタを選定された分割領域の中央部へ移動して表示する
ことを特徴とする情報入力方法。
【請求項１５】
請求項１１ないし請求項１４のいずれか一つに記載の情報入力方法であって、
前記マウスポインタの位置に対応する補助線を前記表示画面に表示する
ことを特徴とする情報入力方法。
【発明の詳細な説明】
【技術分野】
【０００１】
本発明は、表示画面に表示され情報の入力を支援する入力支援手段を備える電子情報処理装置、およびそのような電子情報処理装置での情報入力方法に関する。
【背景技術】
【０００２】
電子情報処理装置の表示部（表示画面）にマウスポインタ、スクロールバーなどの入力支援手段を表示して電子情報処理装置の入力部への入力を簡略化、効率化することが提案されている。
【０００３】
電子情報処理装置としては、デスクトップ型パソコン、ラップトップ（ノート）型パソコン、モバイル電子情報処理装置などが知られている。また、入力部としては、キーボード型入力装置、マウス型入力装置、主にラップトップ（ノート）型パソコンに搭載されるタッチパッド型入力装置、ポインティングデバイス型入力装置などが知られている。
【０００４】
入力支援手段を操作する手段として、例えばマウス（ボールマウス、光学マウス、無線式マウスなどを含む）、タッチパッド、タブレットなどが提案されている。
【０００５】
入力部と入力支援手段との組合せにより電子情報処理装置に対する入力を実行する構成としてある。一般的に良く利用される入力部としては、マウス型入力装置、タッチパッド型入力装置、ポインティングデバイス型入力装置などがあり、これらによって入力支援手段の位置を外部から指示して操作する構成としてある。
【０００６】
マウス型入力装置、ボールマウス、光学マウス、無線式マウス、タッチパッド型入力装置など入力支援手段を操作する機器として種々のものが提案されている。しかしながら、いずれの場合でも、操作入力と入力支援手段（マウスポインタ）との関係は絶対制御形態とするものでは無かった。つまり、操作入力と表示画面上に表示された入力支援手段（マウスポインタ）の移動量との相関関係を高精度に把握することは困難であり、高精度な入力が必要な場合は、操作入力を数回繰り返す必要があった。
【０００７】
したがって、入力支援手段としてのマウスポインタの位置制御ひいては情報入力を高精度かつ効率的に実行することが困難であるという問題があった。
【０００８】
なお、キーボードの問題を解決する技術として例えば特許文献１が開示されている。また、マウスの問題を解決する技術として例えば特許文献２が開示されている。
【特許文献１】特開平１０−１２４２４２号公報
【特許文献２】特開２００３−２５６１３１号公報
【発明の開示】
【発明が解決しようとする課題】
【０００９】
本発明はこのような状況に鑑みてなされたものであり、入力支援手段としてのマウスポインタの位置を操作して情報を入力する位置操作入力部と、表示画面を分割して複数の分割領域を構成する表示画面分割手段とを備える情報処理装置とすることにより、マウスポインタの位置制御の精度を分割領域の数（分割数）に応じて向上させ、容易かつ効率良くマウスポインタの位置を確定し、マウスポインタを介した効率的な情報入力ができる情報処理装置、または、このような情報処理装置での情報入力方法を提供することを目的とする。
【課題を解決するための手段】
【００１０】
本発明に係る情報処理装置は、情報の入力を受け付ける入力部と、該入力部を介して入力された情報を処理する情報処理部と、該情報処理部で処理された情報を表示画面に表示する表示部と、前記表示画面に表示され情報の入力を支援する入力支援手段とを備える電子情報処理装置であって、前記入力支援手段としてのマウスポインタの位置を操作して情報を入力する位置操作入力部と、前記表示画面を分割して複数の分割領域を構成する表示画面分割手段とを備えることを特徴とする。
【００１１】
この構成により、位置操作入力部と表示画面の分割領域とを対応させた状態でマウスポインタの位置制御を実行することが可能となることから、マウスポインタの位置制御の精度を分割領域の数（分割数）に応じて向上させ、容易かつ効率良くマウスポインタの位置を確定し、マウスポインタを介した効率的な情報入力ができる情報処理装置とすることができる。
【００１２】
本発明に係る情報処理装置では、前記表示画面分割手段は、前記表示画面の分割を指示する表示画面分割指示スイッチからの指示に基づいて前記表示画面の分割または非分割を切り換える構成としてあることを特徴とする。
【００１３】
この構成により、表示画面分割指示スイッチに対する簡単な操作で表示画面分割手段を機能させて表示画面の分割／非分割を切り換えることが可能となり、効率的な分割／非分割の切換ができる。
【００１４】
本発明に係る情報処理装置では、前記表示画面の分割数を選定する分割数選定手段を備えることを特徴とする。
【００１５】
この構成により、任意の分割数を容易に選定することが可能となる。
【００１６】
本発明に係る情報処理装置では、分割領域に応じた分割位置を示す分割位置表示マークを表示する分割位置表示手段を備えることを特徴とする。
【００１７】
この構成により、分割状態を容易かつ正確に表示することが可能となる。
【００１８】
本発明に係る情報処理装置では、隣接する他方の分割領域に重畳する分割重畳領域を各分割領域に設定する分割重畳領域設定手段を備えることを特徴とする。
【００１９】
この構成により、マウスポインタの位置制御を容易かつ効率的に実行することが可能となる。
【００２０】
本発明に係る情報処理装置では、前記マウスポインタを配置する入力対象としての分割領域を選定する入力対象分割領域選定手段を備えることを特徴とする。
【００２１】
この構成により、入力対象としての分割領域を容易かつ効率的に選定することが可能となる。
【００２２】
本発明に係る情報処理装置では、入力対象としての分割領域が選定されたとき、選定された分割領域の中央部へ前記マウスポインタを移動して表示する選定分割領域中央部表示手段を備えることを特徴とする。
【００２３】
この構成により、マウスポインタの操作を効率化することが可能となり、容易かつ高精度に操作性良くマウスポインタの操作を行なうことができる。
【００２４】
本発明に係る情報処理装置では、前記マウスポインタの位置に対応する補助線を前記表示画面に表示する補助線表示手段を備えることを特徴とする。
【００２５】
この構成により、マウスポインタの移動先の位置関係を事前に容易に把握することが可能となり、マウスポインタの位置を効率的に移動させることができる。
【００２６】
本発明に係る情報処理装置では、前記位置操作入力部の有効操作範囲の長さと前記マウスポインタの操作対象範囲とされた分割領域の前記位置操作入力部の方向に対応する長さとを１対１に比例対応させて入力する絶対制御形態と、前記位置操作入力部の有効操作範囲の長さと前記マウスポインタの操作対象範囲とされた分割領域の前記位置操作入力部の方向に対応する長さとを１対１に比例対応させずに入力する相対制御形態とを切り換える入力比切換スイッチを備えることを特徴とする。
【００２７】
この構成により、必要に応じて絶対制御形態と相対制御形態とを切り換えることが可能となることから、容易かつ高精度にマウスポインタの位置を確定して、操作性良く効率的な情報入力ができる。
【００２８】
本発明に係る情報処理装置では、前記位置操作入力部は、前記表示画面の第１方向で前記マウスポインタの位置を操作する第１方向位置操作入力部と、前記表示画面の前記第１方向と交差する第２方向で前記マウスポインタの位置を操作する第２方向位置操作入力部とを備えることを特徴とする。
【００２９】
この構成により、表示画面の平面上でマウスポインタを任意の位置へ配置することが容易となり、効率的な情報入力が可能となる。
【００３０】
本発明に係る情報入力方法は、情報の入力を受け付ける入力部と、該入力部を介して入力された情報を処理する情報処理部と、該情報処理部で処理された情報を表示画面に表示する表示部と、前記表示画面に表示され情報の入力を支援する入力支援手段とを備える電子情報処理装置での情報入力方法であって、前記表示画面を分割して複数の分割領域を構成した状態で、前記入力支援手段としてのマウスポインタの位置を操作して情報を入力することを特徴とする。
【００３１】
この構成により、位置操作入力部と表示画面の分割領域とを対応させた状態でマウスポインタの位置制御を実行することが可能となることから、マウスポインタの位置制御の精度を分割領域の数（分割数）に応じて向上させ、容易かつ効率良くマウスポインタの位置を確定し、マウスポインタを介した効率的な情報入力ができる情報処理装置での情報入力方法とすることができる。
【００３２】
本発明に係る情報入力方法では、分割領域に応じた分割位置を示す分割位置表示マークを表示することを特徴とする。
【００３３】
この構成により、分割状態を容易かつ正確に表示することが可能となる。
【００３４】
本発明に係る情報入力方法では、隣接する他方の分割領域に重畳する分割重畳領域を各分割領域に設定することを特徴とする。
【００３５】
この構成により、マウスポインタの位置制御を容易かつ効率的に実行することが可能となる。
【００３６】
本発明に係る情報入力方法では、入力対象としての分割領域が選定されたとき、前記マウスポインタを選定された分割領域の中央部へ移動して表示することを特徴とする。
【００３７】
この構成により、マウスポインタの操作を効率化することが可能となり、容易かつ高精度に操作性良くマウスポインタの操作を行なうことができる。
【００３８】
本発明に係る情報入力方法では、前記マウスポインタの位置に対応する補助線を前記表示画面に表示することを特徴とする。
【００３９】
この構成により、マウスポインタの移動先を容易に把握することが可能。マウスポインタの位置を効率的に調整する。
【発明の効果】
【００４０】
本発明に係る情報処理装置によれば、情報の入力を受け付ける入力部と、入力部を介して入力された情報を処理する情報処理部と、情報処理部で処理された情報を表示画面に表示する表示部と、表示画面に表示され情報の入力を支援する入力支援手段とを備え、入力支援手段としてのマウスポインタの位置を操作して情報を入力する位置操作入力部と、表示画面を分割して複数の分割領域を構成する表示画面分割手段とを備えることから、マウスポインタの位置制御の精度を分割領域の数（分割数）に応じて向上させ、容易かつ効率良くマウスポインタの位置を確定し、マウスポインタを介した効率的な情報入力ができる情報処理装置とすることができるという効果を奏する。
【００４１】
また、本発明に係る情報入力方法によれば、情報の入力を受け付ける入力部と、入力部を介して入力された情報を処理する情報処理部と、情報処理部で処理された情報を表示画面に表示する表示部と、表示画面に表示され情報の入力を支援する入力支援手段とを備える電子情報処理装置での情報入力方法であって、表示画面を分割して複数の分割領域を構成した状態で、入力支援手段としてのマウスポインタの位置を操作して情報を入力することから、マウスポインタの位置制御の精度を分割領域の数（分割数）に応じて向上させ、容易かつ効率良くマウスポインタの位置を確定し、マウスポインタを介した効率的な情報入力ができる情報処理装置での情報入力方法とすることができるという効果を奏する。
【発明を実施するための最良の形態】
【００４２】
以下、本発明の実施の形態に係る電子情報処理装置および情報入力方法を図面に基づいて説明する。
【００４３】
図１は、本発明の実施の形態に係る電子情報処理装置の概略構成ブロックを示す構成ブロック図である。
【００４４】
本実施の形態に係る電子情報処理装置１は、情報の入力を受け付ける入力部２と、入力部２を介して入力された情報を処理する情報処理部３と、情報処理部３で処理された情報を表示画面４１に表示する表示部４と、表示画面４１に表示され情報の入力を支援する入力支援手段としてのマウスポインタ５１とを備える。
【００４５】
また、電子情報処理装置１は、マウスポインタ５１の位置を操作して情報を入力する位置操作入力部２１と、表示画面４１を分割して複数の分割領域（図２以下で説明する。）を構成する表示画面分割手段３６とを備える。
【００４６】
したがって、マウスポインタ５１の位置を分割領域に対応させて移動させることが可能となることから、マウスポインタ５１の位置入力の精度を分割領域の数（分割数）に応じて向上させ、容易かつ効率良くマウスポインタ５１の位置を確定することが可能となるので、効率的な情報入力ができる。
【００４７】
位置操作入力部２１は、表示画面４１の第１方向Ｄｈｒでマウスポインタ５１の位置を操作する第１方向位置操作入力部２１ｈと、表示画面４１の第１方向Ｄｈｒと垂直に交差する第２方向Ｄｖｔでマウスポインタ５１の位置を操作する第２方向位置操作入力部２１ｖとを備える。
【００４８】
したがって、表示画面４１の平面上でマウスポインタ５１を任意の位置へ配置することが容易となり、効率的な情報入力が可能となる。なお、第１方向位置操作入力部２１ｈと第２方向位置操作入力部２１ｖとは、それぞれ別個に独立させて直線状に配置してあるが、平面状として配置することも可能である。
【００４９】
第１方向位置操作入力部２１ｈ、第２方向位置操作入力部２１ｖは、外部からの近接操作を検知する近接検知センサとしてあり、例えば操作者が指を接触させて機能させることが可能な静電容量センサなどで構成することが可能である。また、いわゆるマウスポインタを適宜適用することも可能である。
【００５０】
なお、第１方向位置操作入力部２１ｈと第２方向位置操作入力部２１ｖとを特に区別する必要がない場合は、単に位置操作入力部２１とすることがある。
【００５１】
入力部２は、周知の左クリックボタンスイッチ２２、右クリックボタンスイッチ２３を入力手段として備えてあり、周知の機能を持たせてある。例えば、左クリックボタンスイッチ２２をクリックすることにより、マウスポインタ５１の位置を決定し、右クリックボタンスイッチ２３をクリックすることにより、表示画面４１で操作しているアプリケーションソフトで実行できる機能をサブメニュー表示させることが可能となるように構成してある。
【００５２】
入力部２は、通常のキーボード２４を備え、アルファベット文字などを介した情報の入力を可能としてある。
【００５３】
入力部２は、表示画面分割手段３６を機能させるための入力手段として、第１方向位置操作入力部２１ｈに対応させた表示画面分割指示スイッチ２５ｆ、分割数選定スイッチ２６ｆ、分割領域選定スイッチ２７ｆ、入力比切換スイッチ２８ｆを備え、また、第２方向位置操作入力部２１ｖに対応させた表示画面分割指示スイッチ２５ｓ、分割数選定スイッチ２６ｓ、分割領域選定スイッチ２７ｓ、入力比切換スイッチ２８ｓを備える。
【００５４】
なお、表示画面分割指示スイッチ２５ｆ、分割数選定スイッチ２６ｆ、分割領域選定スイッチ２７ｆ、入力比切換スイッチ２８ｆ、および、表示画面分割指示スイッチ２５ｓ、分割数選定スイッチ２６ｓ、分割領域選定スイッチ２７ｓ、入力比切換スイッチ２８ｓの具体的な動作、機能ついては、図２以降で詳細を説明する。
【００５５】
また、表示画面分割指示スイッチ２５ｆおよび表示画面分割指示スイッチ２５ｓ、分割数選定スイッチ２６ｆおよび分割数選定スイッチ２６ｓ、分割領域選定スイッチ２７ｆおよび分割領域選定スイッチ２７ｓ、入力比切換スイッチ２８ｆおよび入力比切換スイッチ２８ｓは、それぞれ個別に設ける形態としたが、互いに共通にすることも可能である。共通にした場合は、第１方向Ｄｈｒおよび第２方向Ｄｖｔに対する処理を同時に行なうことが可能となる。
【００５６】
情報処理部３は、入力部２からの入力を処理して表示部４へ出力するために、ＣＰＵ（Ｃｅｎｔｒａｌ  Ｐｒｏｃｅｓｓｉｎｇ  Ｕｎｉｔ：中央処理装置）を備える制御部３１を備える。また、制御部３１を機能させるためにＲＯＭ３２、ＲＡＭ３３、入出力インターフェース３４、表示画面分割手段３６などを備える。
【００５７】
情報処理部３は、例えば、通常のパーソナルコンピュータで構成することが可能である。ＲＯＭ３２は、コンピュータプログラムを機能させるためのオペレーティングシステム（Ｏｐｅｒａｔｉｎｇ  Ｓｙｓｔｅｍ：ＯＳ）、文書／図形などを作成するためのアプリケーションソフトを記憶している。ＲＡＭ３３は、データ処理、画像処理で一時的に記憶する必要がある情報を記憶している。入出力インターフェース３４は、入力部２から入力された情報を受け付けて情報処理部３で処理させる。また、入出力インターフェース３４は、情報処理部３（制御部３１）で処理された情報を表示部４へ出力して表示画面４１で表示させる構成としてある。
【００５８】
つまり、情報処理部３は、ＲＯＭ３２に予め記憶したコンピュータプログラムによって、適宜の処理を入力部２からの入力に対して施すことが可能な構成としてある。したがって、本実施の形態に係る電子情報処理装置１での情報入力方法は、情報処理部３（ＲＯＭ３２）に予めインストールされたコンピュータプログラムによって制御部３１を機能させて実行することが可能である。
【００５９】
また、制御部３１は、具体的な機能実現手段として表示画面分割手段３６に加えて、分割数選定手段３６ａ、分割位置表示手段３６ｂ、分割重畳領域設定手段３６ｃ、入力対象分割領域選定手段３６ｄ、選定分割領域中央部表示手段３６ｅ、補助線表示手段３６ｆを備える。
【００６０】
分割数選定手段３６ａ、分割位置表示手段３６ｂ、分割重畳領域設定手段３６ｃ、入力対象分割領域選定手段３６ｄ、選定分割領域中央部表示手段３６ｅ、補助線表示手段３６ｆは、表示画面分割手段３６、制御部３１、ＲＯＭ３２と連係し、予めインストールされたコンピュータプログラムに基づいて必要な動作を実行する。
【００６１】
分割数選定手段３６ａ、分割位置表示手段３６ｂ、分割重畳領域設定手段３６ｃ、入力対象分割領域選定手段３６ｄ、選定分割領域中央部表示手段３６ｅ、補助線表示手段３６ｆの具体的な動作、機能については、図２以降で詳細を説明する。
【００６２】
表示画面４１には、マウスポインタ５１の位置に対応する補助線５１ｈ（第１方向Ｄｈｒでのマウスポインタ５１の位置）、補助線５１ｖ（第２方向Ｄｖｔでのマウスポインタ５１の位置）が表示される構成としてある。補助線５１ｈ、補助線５１ｖは、補助線表示手段３６ｆによって制御される。
【００６３】
したがって、補助線５１ｈ、補助線５１ｖを表示することによって、マウスポインタ５１の移動先に対する位置関係（分割領域の相互関係）を事前に容易に把握することが可能となり、マウスポインタ５１の位置を効率的に移動させることができる。
【００６４】
図２は、本発明の実施の形態に係る電子情報処理装置および情報入力方法を適用して第１方向で分割した表示画面の状態を説明する説明図であり、（Ａ）は分割前での第１方向位置操作入力部への操作入力とマウスポインタとの関係を示し、（Ｂ）は第１方向での分割数を２とした状態で第１方向位置操作入力部への操作入力とマウスポインタとの関係を示す。
【００６５】
図２では、第１方向Ｄｈｒでマウスポインタ５１の位置を制御する場合を示してある。マウスポインタ５１の第１方向Ｄｈｒでの位置を操作するための操作入力は、第１方向Ｄｈｒに対応する位置操作入力部２１である第１方向位置操作入力部２１ｈに対して実行される。
【００６６】
第１方向位置操作入力部２１ｈに対する操作入力（例えば、静電容量センサとした場合は、指を接触させる。）を行なう前に、第１方向位置操作入力部２１ｈに対して「絶対制御形態」および「相対制御形態」のいずれを適用するかを入力比切換スイッチ２８ｆによって決定する。
【００６７】
入力比切換スイッチ２８ｆは、例えばオンオフ制御できるボタンスイッチで構成され、例えばオン状態を絶対制御形態に対応させ、オフ状態を相対制御形態に対応させてある。制御部３１は、入力比切換スイッチ２８ｆの状態（オンオフ状態）に基づいて、第１方向位置操作入力部２１ｈに対する絶対制御形態と相対制御形態とを切り換える。
【００６８】
第１方向Ｄｈｒに対応する入力比切換スイッチ２８ｆを備えるので、必要に応じて絶対制御形態と相対制御形態とを切り換えることが可能となることから、容易かつ高精度にマウスポインタの位置を確定して、操作性良く効率的な情報入力ができる。
【００６９】
なお、「絶対制御形態」とは、第１方向位置操作入力部２１ｈの有効操作範囲をそのまま表示画面４１全体（第１方向Ｄｈｒでの全長）に比例対応させ、ドラッグ操作をすることなく直接移動先を指定する入力操作（入力制御）を意味する。
【００７０】
表示画面４１を分割した場合の「絶対制御形態」は、第１方向位置操作入力部２１ｈ（位置操作入力部２１）の有効操作範囲の長さとマウスポインタ５１の操作対象範囲とされた分割領域（例えば、図２（Ｂ）での分割領域４２ｈｓ）での第１方向位置操作入力部２１ｈの方向（第１方向Ｄｈｒ）に対応する長さとを１対１に比例対応させて入力することを意味する。
【００７１】
したがって、第１方向Ｄｈｒで表示画面４１を分割した場合は、分割数に応じて第１方向位置操作入力部２１ｈによる操作精度を向上させることが可能となる。
【００７２】
また、「相対制御形態」とは、第１方向位置操作入力部２１ｈに対するドラッグ操作の距離分を表示画面４１でのマウスポインタ５１のドラッグ移動に適宜の比率で対応させることを意味する。したがって、マウスポインタ５１の移動は、必要に応じて第１方向位置操作入力部２１ｈに対するドラッグ操作を繰り返すことにより実行される。
【００７３】
表示画面４１を分割した場合の「相対制御形態」は、第１方向位置操作入力部２１ｈ（位置操作入力部２１）の有効操作範囲の長さとマウスポインタ５１の操作対象範囲とされた分割領域４２ｈｓの第１方向位置操作入力部２１ｈの方向に対応する長さとを１対１に比例対応させずに入力することを意味する。
【００７４】
図２では、絶対制御形態とした後、マウスポインタ５１に対する操作入力を実行した場合を示してある。
【００７５】
表示画面４１を分割しない場合（同図（Ａ））、第１方向Ｄｈｒでは、表示画面４１の長さに対して第１方向位置操作入力部２１ｈの有効操作範囲がそのまま１：１で対応している。したがって、第１方向位置操作入力部２１ｈの例えば中央部への操作入力（操作入力点ＨＰに対する指の接触）に伴い、マウスポインタ５１は、表示画面４１の中央部へ移動することとなる。
【００７６】
表示画面分割手段３６は、表示画面４１の第１方向Ｄｈｒでの分割を指示する表示画面分割指示スイッチ２５ｆからの指示に基づいて表示画面４１の第１方向Ｄｈｒでの分割または非分割を切り換える構成としてある。したがって、表示画面分割指示スイッチ２５ｆに対する簡単な操作で表示画面分割手段３６を機能させ、表示画面４１の分割／非分割を切り換えることが可能となり、効率的な分割／非分割の切換ができる。
【００７７】
表示画面分割指示スイッチ２５ｆとしては、例えば、入力比切換スイッチ２８ｆと同様、オンオフ制御できるボタンスイッチで構成し、例えばオン状態を分割状態に対応させ、オフ状態を非分割状態に対応させることが可能である。また、機構的なスイッチではなく、表示画面４１に表示したソフトウエア処理によるスイッチを適用することも可能である。
【００７８】
分割数選定手段３６ａは、分割数選定スイッチ２６ｆから指示された分割数に対応させて表示画面４１を分割する構成としてある。つまり、分割数選定手段３６ａは、分割数選定スイッチ２６ｆによって制御することが可能である。
【００７９】
分割数選定スイッチ２６ｆは、例えばローテーションスイッチで構成し、分割数２、分割数３、分割数４、・・・に対応させ、適宜選択して設定した分割数を分割数選定手段３６ａへ送信する。したがって、簡単な構成で、任意の分割数を容易に選定することが可能となる。
【００８０】
分割位置表示手段３６ｂは、分割数選定手段３６ａによって分割数が確定したとき、分割領域に応じた分割位置（例えば、第１方向第１分割領域４２ｈｆと第１方向第２分割領域４２ｈｓとの境界）を示す分割位置表示マーク４４ｈを表示する。したがって、分割状態を容易かつ正確に表示することが可能となる。
【００８１】
なお、分割領域は表示画面４１を等分して構成することが望ましい。また、表示される分割位置表示マークの数は、表示画面４１の１辺について「分割数−１」個となる。分割位置表示マーク４４ｈは、例えば三角印、その他の特殊形状を適用して表示することが可能であり、また適宜の着色を施すことも可能である。
【００８２】
入力対象分割領域選定手段３６ｄは、分割領域選定スイッチ２７ｆからの指示に応じてマウスポインタ５１を配置する入力対象としての分割領域を選定する。
【００８３】
分割領域選定スイッチ２７ｆは、例えばローテーションスイッチで構成し、分割領域を順次選択指定する形態とする。分割領域選定スイッチ２７ｆは、例えばローテーションスイッチの切り換えに応じて分割領域の選択をシフトさせる信号を入力対象分割領域選定手段３６ｄへ送信する。
【００８４】
入力対象分割領域選定手段３６ｄは、分割領域選定スイッチ２７ｆによって分割領域の選択をシフトさせる信号を受信したときは、選択した分割領域を例えば強調表示する形態とすることによって入力対象としての分割領域を選定可能な状態としてある。したがって、入力対象としての分割領域を容易かつ効率的に選定することが可能となる。
【００８５】
表示画面分割手段３６（表示画面分割指示スイッチ２５ｆ）によって分割状態とされ、さらに分割数選定手段３６ａ（分割数選定スイッチ２６ｆ）によって分割数を例えば２とし、第１方向Ｄｈｒで表示画面４１を２分割した場合（同図（Ｂ））、表示画面４１は、複数の分割領域としての第１方向第１分割領域４２ｈｆ、第１方向第２分割領域４２ｈｓに区分される。なお、第１方向第１分割領域４２ｈｆと第１方向第２分割領域４２ｈｓとを特に区別する必要がない場合は、単に第１方向分割領域４２ｈとすることがある。
【００８６】
入力対象分割領域選定手段３６ｄ（分割領域選定スイッチ２７ｆ）によって、第１方向第１分割領域４２ｈｆおよび第１方向第２分割領域４２ｈｓの内、例えば、第１方向第２分割領域４２ｈｓがマウスポインタ５１を配置する操作対象範囲（入力対象としての分割領域）として選定された場合、第１方向Ｄｈｒで、第１方向位置操作入力部２１ｈの有効操作範囲の長さと第１方向第２分割領域４２ｈｓの第１方向位置操作入力部２１ｈの方向に対応する長さとが１対１に比例対応することとなる。
【００８７】
したがって、第１方向位置操作入力部２１ｈの例えば中央部への操作入力（操作入力点ＨＰに対する指の接触）に伴い、マウスポインタ５１ｐは、第１方向第２分割領域４２ｈｓの中央部へ移動することとなる（同図（Ｂ））。
【００８８】
表示画面４１を分割して構成した分割領域に対して絶対制御形態とした状態の第１方向位置操作入力部２１ｈ（位置操作入力部２１）を適用することによって、分割数に応じた高精度化が可能となり、マウスポインタ５１ｐの操作性を向上させ、位置制御を高精度化することができる。
【００８９】
また、図２では、補助線５１ｈが表示された状態を併せて示してある。補助線５１ｈは、補助線表示手段３６ｆ（制御部３１）によって制御される形態としてある。補助線５１ｈは、表示画面４１の分割／非分割に関係なく表示させる形態とすることが可能であり、入力部２の適宜のキーなどを介して予め設定することができる。
【００９０】
なお、表示画面４１を分割した場合に補助線５１ｈを表示させることにより、容易かつ効率的にマウスポインタ５１の位置を操作することが可能となる。
【００９１】
図３は、本発明の実施の形態に係る電子情報処理装置および情報入力方法を適用して第２方向で分割した表示画面の状態を説明する説明図であり、（Ａ）は分割前での第２方向位置操作入力部への操作入力とマウスポインタとの関係を示し、（Ｂ）は第２方向での分割数を２とした状態で第２方向位置操作入力部への操作入力とマウスポインタとの関係を示す。
【００９２】
基本的な構成は、図２と同様であるので適宜説明を省略する。
【００９３】
図３では、第２方向Ｄｖｔでマウスポインタ５１の位置を制御する場合を示してある。マウスポインタ５１の第２方向Ｄｖｔでの位置を操作するための操作入力は、第２方向Ｄｖｔに対応する位置操作入力部２１である第２方向位置操作入力部２１ｖに対して実行される。
【００９４】
第２方向位置操作入力部２１ｖに対する操作入力（例えば、静電容量センサとした場合は、指を接触させる。）を行なう前に、第２方向位置操作入力部２１ｖに対して「絶対制御形態」および「相対制御形態」のいずれを適用するかを入力比切換スイッチ２８ｓによって決定する。
【００９５】
入力比切換スイッチ２８ｓは、例えばオンオフ制御できるボタンスイッチで構成され、例えばオン状態を絶対制御形態に対応させ、オフ状態を相対制御形態に対応させてある。制御部３１は、入力比切換スイッチ２８ｓの状態（オンオフ状態）に基づいて、第２方向位置操作入力部２１ｖに対する絶対制御形態と相対制御形態とを切り換える。
【００９６】
第２方向Ｄｖｔに対応する入力比切換スイッチ２８ｓを備えるので、必要に応じて絶対制御形態と相対制御形態とを切り換えることが可能となることから、容易かつ高精度にマウスポインタの位置を確定して、操作性良く効率的な情報入力ができる。
【００９７】
なお、「絶対制御形態」、「相対制御形態」は、図２で説明したとおりであり、説明は省略する。
【００９８】
図３では、絶対制御形態とした後、マウスポインタ５１に対する操作入力を実行した場合を示してある。
【００９９】
表示画面４１を分割しない場合（同図（Ａ））、第２方向Ｄｖｔでは、表示画面４１の長さに対して第２方向位置操作入力部２１ｖの有効操作範囲がそのまま１：１で対応している。したがって、第２方向位置操作入力部２１ｖの例えば中央部への操作入力（操作入力点ＨＰに対する指の接触）に伴い、マウスポインタ５１は、表示画面４１の中央部へ移動することとなる。
【０１００】
表示画面分割手段３６は、表示画面４１の第２方向Ｄｖｔでの分割を指示する表示画面分割指示スイッチ２５ｓからの指示に基づいて表示画面４１の第２方向Ｄｖｔでの分割または非分割を切り換える構成としてある。したがって、表示画面分割指示スイッチ２５ｓに対する簡単な操作で表示画面分割手段３６を機能させ、表示画面４１の分割／非分割を切り換えることが可能となり、効率的な分割／非分割の切換ができる。
【０１０１】
表示画面分割指示スイッチ２５ｓは、表示画面分割指示スイッチ２５ｆと同様に構成することが可能である。
【０１０２】
分割数選定手段３６ａは、分割数選定スイッチ２６ｓから指示された分割数に対応させて表示画面４１を分割する構成としてある。つまり、分割数選定手段３６ａは、分割数選定スイッチ２６ｓによって制御することが可能である。
【０１０３】
分割数選定スイッチ２６ｓは、分割数選定スイッチ２６ｆと同様に構成することが可能である。
【０１０４】
分割位置表示手段３６ｂは、分割数選定手段３６ａによって分割数が確定したとき、分割領域に応じた分割位置（例えば、第２方向第１分割領域４２ｖｆと第２方向第２分割領域４２ｖｓとの境界）を示す分割位置表示マーク４４ｖを表示する。したがって、分割状態を容易かつ正確に表示することが可能となる。
【０１０５】
なお、分割領域は表示画面４１を等分して構成することが望ましい。また、表示される分割位置表示マークの数は、表示画面４１の１辺について「分割数−１」個となる。分割位置表示マーク４４ｖは、分割位置表示マーク４４ｈと同様に形成することが可能である。
【０１０６】
入力対象分割領域選定手段３６ｄは、分割領域選定スイッチ２７ｓからの指示に応じてマウスポインタ５１を配置する入力対象としての分割領域を選定する。
【０１０７】
分割領域選定スイッチ２７ｓは、分割領域選定スイッチ２７ｆと同様に構成することが可能である。
【０１０８】
表示画面分割手段３６（表示画面分割指示スイッチ２５ｓ）によって分割状態とされ、さらに分割数選定手段３６ａ（分割数選定スイッチ２６ｓ）によって分割数を例えば２とし、第２方向Ｄｖｔで表示画面４１を２分割した場合（同図（Ｂ））、表示画面４１は、複数の分割領域としての第２方向第１分割領域４２ｖｆ、第２方向第２分割領域４２ｖｓに区分される。なお、第２方向第１分割領域４２ｖｆと第２方向第２分割領域４２ｖｓとを特に区別する必要がない場合は、単に第２方向分割領域４２ｖとすることがある。
【０１０９】
入力対象分割領域選定手段３６ｄ（分割領域選定スイッチ２７ｓ）によって、第２方向第１分割領域４２ｖｆおよび第２方向第２分割領域４２ｖｓの内、例えば、第２方向第１分割領域４２ｖｆがマウスポインタ５１を配置する操作対象範囲（入力対象としての分割領域）として選定された場合、第２方向Ｄｖｔで、第２方向位置操作入力部２１ｖの有効操作範囲の長さと第２方向第１分割領域４２ｖｆの第２方向位置操作入力部２１ｖの方向に対応する長さとが１対１に比例対応することとなる。
【０１１０】
したがって、第２方向位置操作入力部２１ｖの例えば中央部への操作入力（操作入力点ＨＰに対する指の接触）に伴い、マウスポインタ５１ｐは、第２方向第１分割領域４２ｖｆの中央部へ移動することとなる（同図（Ｂ））。
【０１１１】
表示画面４１を分割して構成した分割領域に対して絶対制御形態とした状態の第２方向位置操作入力部２１ｖ（位置操作入力部２１）を適用することによって、分割数に応じた高精度化が可能となり、マウスポインタ５１ｐの操作性を向上させ、位置制御を高精度化することができる。
【０１１２】
また、図３では、補助線５１ｖが表示された状態を併せて示してある。補助線５１ｖは、補助線表示手段３６ｆ（制御部３１）によって制御される形態としてある。補助線５１ｖは、表示画面４１の分割／非分割に関係なく表示させる形態とすることが可能であり、入力部２の適宜のキーを介して予め設定することができる。
【０１１３】
なお、表示画面４１を分割した場合に補助線５１ｖを表示させることにより、容易かつ効率的にマウスポインタ５１の位置を操作することが可能となる。
【０１１４】
図４は、本発明の実施の形態に係る電子情報処理装置および情報入力方法を適用して分割重畳領域を形成した状態を説明する説明図であり、（Ａ）は第１方向での分割数を２とした場合の第１方向分割重畳領域の重畳状態を示し、（Ｂ）は第２方向での分割数を２とした場合の第２方向分割重畳領域の重畳状態を示す。
【０１１５】
図４（Ａ）に基づいて第１方向Ｄｈｒでの分割領域に対する重畳領域の設定について説明する。
【０１１６】
分割数選定手段３６ａで分割数が確定することにより、第１方向Ｄｈｒで分割領域が確定する。つまり、第１方向第１分割領域４２ｈｆ、第１方向第２分割領域４２ｈｓが相互に隣接する第１方向分割領域４２ｈ（分割領域）として配置される。
【０１１７】
第１方向第１分割領域４２ｈｆ、第１方向第２分割領域４２ｈｓの形成に併せて、分割重畳領域設定手段３６ｃを機能させ、第１方向第１分割領域４２ｈｆと第１方向第２分割領域４２ｈｓとの境界領域を相互に重畳させて第１方向分割重畳領域４２ｈｄを形成する。
【０１１８】
つまり、分割重畳領域設定手段３６ｃは、隣接する他方の分割領域（例えば、第１方向第１分割領域４２ｈｆに対する第１方向第２分割領域４２ｈｓ。第１方向第２分割領域４２ｈｓに対する第１方向第１分割領域４２ｈｆ。）に重畳する分割重畳領域（例えば、第１方向分割重畳領域４２ｈｄ）を各分割領域に設定する構成としてある。したがって、マウスポインタ５１の位置制御を容易かつ効率的に実行することが可能となる。
【０１１９】
なお、分割重畳領域を設定した場合には、分割位置表示マーク４４ｈは、第１方向分割重畳領域４２ｈｄの中間に配置することが望ましい。
【０１２０】
図４（Ｂ）に基づいて第２方向Ｄｖｔでの分割領域に対する重畳領域の設定について説明する。
【０１２１】
分割数選定手段３６ａで分割数が確定することにより、第２方向Ｄｖｔで分割領域が確定する。つまり、第２方向第１分割領域４２ｖｆ、第２方向第２分割領域４２ｖｓが相互に隣接する第２方向分割領域４２ｖ（分割領域）として配置される。
【０１２２】
第２方向第１分割領域４２ｖｆ、第２方向第２分割領域４２ｖｓの形成に併せて、分割重畳領域設定手段３６ｃを機能させ、第２方向第１分割領域４２ｖｆと第２方向第２分割領域４２ｖｓとの境界領域を相互に重畳させて第２方向分割重畳領域４２ｖｄを形成する。
【０１２３】
つまり、分割重畳領域設定手段３６ｃは、隣接する他方の分割領域（例えば、第２方向第１分割領域４２ｖｆに対する第２方向第２分割領域４２ｖｓ。第２方向第２分割領域４２ｖｓに対する第２方向第１分割領域４２ｖｆ。）に重畳する分割重畳領域（例えば、第２方向分割重畳領域４２ｖｄ）を各分割領域に設定する構成としてある。したがって、マウスポインタ５１の位置制御を容易かつ効率的に実行することが可能となる。
【０１２４】
なお、分割重畳領域を設定した場合には、分割位置表示マーク４４ｖは、第２方向分割重畳領域４２ｖｄの中間に配置することが望ましい。
【０１２５】
図５は、本発明の実施の形態に係る電子情報処理装置での情報入力方法の概略フローを示すフローチャートである。
【０１２６】
ステップＳ１ないしステップＳ６の処理によって、図１に示した電子情報処理装置１での情報入力方法を実行することが可能となる。
【０１２７】
上述したとおり、電子情報処理装置１は、情報の入力を受け付ける入力部２と、入力部２を介して入力された情報を処理する情報処理部３と、情報処理部３で処理された情報を表示画面４１に表示する表示部４と、表示画面４１に表示され情報の入力を支援する入力支援手段（マウスポインタ５１）とを備える。
【０１２８】
ステップＳ１：
表示画面分割指示スイッチ２５ｆ、表示画面分割指示スイッチ２５ｓを操作して表示画面４１の分割／非分割を切り換える指示を表示画面分割手段３６に与え、表示画面分割手段３６を機能させる。つまり、表示画面分割手段３６を機能させて、表示画面４１を分割状態とする。
【０１２９】
ステップＳ２：
表示画面分割手段３６が機能した状態で、分割数選定スイッチ２６ｆ、分割数選定スイッチ２６ｓを操作して分割数を設定する。つまり、分割数選定スイッチ２６ｆ、分割数選定スイッチ２６ｓによって分割数を選定する。例えば、図２、図３では、分割数を２とした場合を示してある。
【０１３０】
分割数選定スイッチ２６ｆ、分割数選定スイッチ２６ｓからの指示に応じて分割数選定手段３６ａが機能し、指示された分割数に対応させた分割領域を形成する。
【０１３１】
ステップＳ３：
分割領域（分割数）が確定した状態となっているので、分割位置表示手段３６ｂを機能させて、分割領域に対応させて分割位置表示マーク４４ｈ（図２（Ｂ）参照）、分割位置表示マーク４４ｖ（図３（Ｂ）参照）を表示画面４１に表示する。つまり、分割領域に応じた分割位置（分割領域の境界）を示す分割位置表示マーク（分割位置表示マーク４４ｈ、分割位置表示マーク４４ｈ）を表示する。
【０１３２】
分割位置表示マーク４４ｈ、分割位置表示マーク４４ｖの表示によって、分割状態を容易かつ正確に表示することが可能となる。なお、表示される分割位置表示マークの数は、表示画面４１の１辺について「分割数−１」個となる。
【０１３３】
また、分割重畳領域設定手段３６ｃを併せて機能させ、隣接する他方の分割領域に互いに重畳する分割重畳領域４４ｈｄ、４４ｖｄ（図４参照）を各分割領域に設定する。この構成により、マウスポインタ５１の位置制御を容易かつ効率的に実行することが可能となる。
【０１３４】
ステップＳ４：
分割領域選定スイッチ２７ｆ、分割領域選定スイッチ２７ｓを操作してマウスポインタ５１を配置する入力対象としての分割領域（入力対象分割領域）を選定する。つまり、分割領域選定スイッチ２７ｆ、分割領域選定スイッチ２７ｓによって入力対象分割領域（例えば、図２（Ｂ）での第１方向第２分割領域４２ｈｓ、図３（Ｂ）での第２方向第１分割領域４２ｖｆ）を選定する。
【０１３５】
ステップＳ５：
入力対象としての分割領域（入力対象分割領域）が選定されたとき、選定分割領域中央部表示手段３６ｅを動作させ、選定された入力対象分割領域の中央部へマウスポインタ５１を移動（表示）する。したがって、マウスポインタ５１の操作を短縮化、効率化することが可能となり、容易かつ高精度に操作性良くマウスポインタ５１の操作を行なうことができる。
【０１３６】
ステップＳ６：
マウスポインタ５１の位置に対して分割領域内での調整を実行する。つまり、位置操作入力部２１（第１方向位置操作入力部２１ｈ、第２方向位置操作入力部２１ｖ）によってマウスポインタ５１に対する操作入力を施す。
【０１３７】
上述したとおり、本実施の形態に係る情報入力方法では、表示画面４１を分割して複数の分割領域を構成した状態で、入力支援手段としてのマウスポインタ５１の位置を操作して情報を入力する。
【０１３８】
したがって、マウスポインタ５１の位置を分割領域に対応させて移動させることが可能となることから、マウスポインタ５１の位置入力の精度を分割領域の数（分割数）に応じて向上させ、容易かつ効率良くマウスポインタ５１の位置を確定することが可能となるので、効率的な情報入力ができる。
【０１３９】
マウスポインタ５１の位置に対応する補助線５１ｈ、補助線５１ｖを表示画面４１に表示する。したがって、マウスポインタ５１の移動先を容易に把握することが可能となり、マウスポインタ５１の位置を効率的に調整することが可能となる。
【０１４０】
図６ないし図１８に基づいて、本発明の実施の形態に係る電子情報処理装置１および電子情報処理装置１での情報入力方法を適用して図形を表示画面に表示して作成入力（つまり、情報入力）する処理フローについて説明する。
【０１４１】
図６は、本発明の実施の形態に係る電子情報処理装置での情報入力方法を適用して図形情報を入力処理するときの概略処理フローを示すフローチャートである。
【０１４２】
ステップＳ１０ないしステップＳ１６に基づいて、図形情報を入力処理するときの各ステップを実行する。各ステップの説明に併せて表示画面４１での表示状態を表す図７ないし図１８についても説明を行なう。
【０１４３】
ステップＳ１０：
また、位置操作入力部２１（第１方向位置操作入力部２１ｈ、第２方向位置操作入力部２１ｖ）に対する絶対制御形態または相対制御形態のいずれを適用するか入力比切換スイッチ２８ｆ、入力比切換スイッチ２８ｓを操作することによって選択（決定）する。本実施の形態では、絶対制御形態としてある。
【０１４４】
図７は、図６に示した概略処理フローで表示画面に図形作成ウインドウを開いた状態を示す説明図である。
【０１４５】
図形作成アプリケーションとしての図形作成ウインドウ４６を開いた状態を示してある。マウスポインタ５１はそのときの状態に応じて適宜の位置に表示されている。マウスポインタ５１に対応して補助線５１ｈ、補助線５１ｖを表示する形態としてある。
【０１４６】
補助線５１ｈ、補助線５１ｖの表示は、補助線表示手段３６ｆを機能させることによって実行することが可能である。
【０１４７】
作成する図形の入力予定位置（図形入力予定位置）が、図形入力予定位置ＦＰａ、図形入力予定位置ＦＰｂ、図形入力予定位置ＦＰｃとして参考に示してある。つまり、作成しようとする図形は、例えば図形入力予定位置ＦＰａ、図形入力予定位置ＦＰｂ、図形入力予定位置ＦＰｃで構成される三角形である。
【０１４８】
ステップＳ１１：
表示画面４１の分割を選択する。つまり、表示画面分割手段３６、分割数選定手段３６ａを機能させる。
【０１４９】
図８は、図６に示した概略処理フローで表示画面の分割を選択し分割領域を構成した状態を示す説明図である。
【０１５０】
表示画面分割指示スイッチ２５ｆ、表示画面分割指示スイッチ２５ｓ、分割数選定スイッチ２６ｆ、分割数選定スイッチ２６ｓを操作して、表示画面分割手段３６、分割数選定手段３６ａを機能させることによって、第１方向Ｄｈｒで２つの分割領域（第１方向分割領域４２ｈとしての第１方向第１分割領域４２ｈｆおよび第１方向第２分割領域４２ｈｓ。）、第２方向Ｄｖｔで２つの分割領域（第２方向分割領域４２ｖとしての第２方向第１分割領域４２ｖｆおよび第２方向第２分割領域４２ｖｓ。）を構成した状態としてある。
【０１５１】
また、分割重畳領域設定手段３６ｃを機能させて、第１方向分割重畳領域４２ｈｄ、第２方向分割重畳領域４２ｖｄを設定した状態としてある。
【０１５２】
ステップＳ１２：
図形種類の選択画面を表示する。情報入力を実行するために図形作成ウインドウ４６の具体的な機能を表示させる。
【０１５３】
図９は、図６に示した概略処理フローで図形種類の選択画面を表示した状態を示す説明図である。
【０１５４】
例えば右クリックボタンスイッチ２３をクリック（右クリック）して、サブメニューウインドウ４７（図形種類の選択画面）を表示させる。例えば、図形作成ウインドウ４６が有する機能に応じた図形種類（基本図形としての直線、円形、四角形、異型など）がマウスポインタ５１に対応して表示される。
【０１５５】
ステップＳ１３：
作成対象としての図形種類を選択する。
【０１５６】
図１０は、図６に示した概略処理フローで作成対象としての図形種類を選択した状態を示す説明図である。
【０１５７】
作成しようとする図形は例えば三角形であることから、サブメニューウインドウ４７で表示された図形種類（直線、円形、四角形、異型など）の中から「異型」を選択する。選択は、位置操作入力部２１（第１方向位置操作入力部２１ｈ、第２方向位置操作入力部２１ｖ）によってマウスポインタ５１の位置を移動することによって実行することが可能である。マウスポインタ５１を移動した後、左クリックボタンスイッチ２２をクリック（左クリック）することによって、選択した図形を確定する。
【０１５８】
ステップＳ１４：
情報入力対象としての図形入力予定位置ＦＰａに対応する分割領域を選択する。
【０１５９】
図１１は、図６に示した概略処理フローで作成対象としての１番目の図形入力予定位置に対応する分割領域を選択した状態を示す説明図である。
【０１６０】
１番目の図形入力予定位置ＦＰａに対応する分割領域（第１方向第１分割領域４２ｈｆ、第２方向第１分割領域４２ｖｆ）を選択する。
【０１６１】
分割領域の選択は、分割領域選定スイッチ２７ｆ、分割領域選定スイッチ２７ｓを操作して入力対象分割領域選定手段３６ｄを機能させることによって実行することが可能であ  る。分割領域の選択に伴い、選定分割領域中央部表示手段３６ｅが機能することとなる。
【０１６２】
選定分割領域中央部表示手段３６ｅは、入力対象としての分割領域が選定されたとき、入力対象分割領域（選定分割領域）の中央部へマウスポインタ５１を移動（表示）する構成としてある。したがって、マウスポインタ５１の操作を短縮化、効率化することが可能となり、容易かつ高精度に操作性良くマウスポインタ５１の操作を行なうことができる。
【０１６３】
つまり、図形入力予定位置ＦＰａに近い位置にマウスポインタ５１を迅速に移動させることが可能となり、操作者による操作は、分割領域（第１方向第１分割領域４２ｈｆ、第２方向第１分割領域４２ｖｆの重複領域）の中央部から図形入力予定位置ＦＰａまでで良いこととなり、操作距離を大幅に短縮することが可能となる。したがって、容易かつ迅速に情報入力できることから、情報入力を効率化することが可能となる。
【０１６４】
また、マウスポインタ５１の移動に伴い、補助線５１ｈ、補助線５１ｖも移動することから、図形入力予定位置ＦＰａとの相対的な関係を容易に把握することが可能となる。
【０１６５】
ステップＳ１５：
図形入力予定位置ＦＰａへマウスポインタ５１を移動し、図形入力予定位置ＦＰａに対する情報入力（例えば座標入力）を確定する。
【０１６６】
図１２は、図６に示した概略処理フローで作成対象としての１番目の図形入力予定位置に対する情報入力の確定状態を示す説明図である。
【０１６７】
マウスポインタ５１の移動は、位置操作入力部２１（第１方向位置操作入力部２１ｈ、第２方向位置操作入力部２１ｖ）を操作入力し、マウスポインタ５１を図形入力予定位置ＦＰａに位置合わせした状態で、左クリックボタンスイッチ２２をクリック（左クリック）することで図形入力確定位置ＦＰＡとして確定（情報入力）することができる。
【０１６８】
ステップＳ１６：
次の情報入力対象としての図形入力予定位置は有るか否かを判定する。有る場合（ステップＳ１６：ＹＥＳ）は、ステップＳ１４へ戻り、ステップＳ１４、ステップＳ１５の処理フローを繰り返す。無い場合（ステップＳ１６：ＮＯ）は、処理を終了する。
【０１６９】
本実施の形態では、図形入力予定位置ＦＰａの他に、図形入力予定位置ＦＰｂ、図形入力予定位置ＦＰｃが有ることから、ステップＳ１４、ステップＳ１５をさらに繰り返すこととなる。
【０１７０】
図１３は、図６に示した概略処理フローで作成対象としての２番目の図形入力予定位置に対応する２番目の分割領域を選択した状態を示す説明図である。
【０１７１】
図１４は、図６に示した概略処理フローで作成対象としての２番目の図形入力予定位置に対する情報入力の確定状態を示す説明図である。
【０１７２】
つまり、２番目の図形入力予定位置ＦＰｂに対してステップＳ１４、ステップＳ１５と同様な処理をさらに繰り返す状態を示す。
【０１７３】
入力対象分割領域（選定分割領域）は、図形入力予定位置ＦＰｂが存在する第１方向第１分割領域４２ｈｆ、第２方向第２分割領域４２ｖｓの重複領域となり、情報入力の確定によって図形入力予定位置ＦＰｂは図形入力確定位置ＦＰＢとなる。なお、図形入力確定位置ＦＰＢの確定に併せて辺情報Ｌａｂも確定（情報入力）される。
【０１７４】
その他については、図形入力予定位置ＦＰａ、図形入力確定位置ＦＰＡの場合と同様であるので、説明は省略する。
【０１７５】
図１５は、図６に示した概略処理フローで作成対象としての３番目の図形入力予定位置に対応する３番目の分割領域を選択した状態を示す説明図である。
【０１７６】
図１６は、図６に示した概略処理フローで作成対象としての３番目の図形入力予定位置に対する情報入力の確定状態を示す説明図である。
【０１７７】
つまり、３番目の図形入力予定位置ＦＰｃに対してステップＳ１４、ステップＳ１５と同様な処理をさらに繰り返す状態を示す。
【０１７８】
入力対象分割領域（選定分割領域）は、図形入力予定位置ＦＰｃが存在する第１方向第２分割領域４２ｈｓ、第２方向第２分割領域４２ｖｓの重複領域となり、情報入力の確定によって図形入力予定位置ＦＰｃは図形入力確定位置ＦＰＣとなる。なお、図形入力確定位置ＦＰＣの確定に併せて辺情報Ｌｂｃも確定される。
【０１７９】
その他については、図形入力予定位置ＦＰａ、ＦＰｂ、図形入力確定位置ＦＰＡ、ＦＰＢの場合と同様であるので、説明は省略する。
【０１８０】
なお、図形入力予定位置ＦＰｃは、分割領域（第２方向第１分割領域４２ｖｆ、第２方向第２分割領域４２ｖｓ）の境界付近に位置するが、分割重複領域（第２方向分割重畳領域４２ｖｄ）が設定してあることから、いずれの領域であるかを問題にすることなく容易かつ迅速に第２方向第２分割領域４２ｖｓを選択することが可能である。また、仮に第２方向第１分割領域４２ｖｆを選択した場合でも同様に処理を行なうことが可能である。
【０１８１】
図１７は、図６に示した概略処理フローで作成対象としての４番目の図形入力予定位置に対応する４番目の分割領域を選択した状態を示す説明図である。
【０１８２】
図１８は、図６に示した概略処理フローで作成対象としての４番目の図形入力予定位置に対する情報入力の確定状態を示す説明図である。
【０１８３】
本実施の形態では、例えば三角形を入力することから、頂点の数３に対して、３辺を構成する必要があり、１番目の頂点に対して２度の入力を実行する。つまり、４番目の図形入力予定位置は１番目の図形入力位置と重なる。
【０１８４】
したがって、再度図形入力確定位置ＦＰＡが存在する第１方向第１分割領域４２ｈｆ、第２方向第１分割領域４２ｖｆが重複する領域に対して情報入力を実行することとなる。図形入力確定位置ＦＰＡにマウスポインタ５１を重ねて確定することにより、辺情報Ｌｃａも確定（情報入力）される。
【０１８５】
なお、入力図形が三角形であることから、４番目の情報入力を省略する形態とすることも可能である。
【０１８６】
上述したとおり、ステップＳ１４（図１１）ないしステップＳ１６（図１８）の処理フローによって、図形入力確定位置ＦＰＡ、図形入力確定位置ＦＰＢ、図形入力確定位置ＦＰＣ、辺情報Ｌａｂ、辺情報Ｌｂｃ、辺情報Ｌｃａが確定（情報入力）され、入力対象情報としての三角形が入力される。
【図面の簡単な説明】
【０１８７】
【図１】本発明の実施の形態に係る電子情報処理装置の概略構成ブロックを示す構成ブロック図である。
【図２】本発明の実施の形態に係る電子情報処理装置および情報入力方法を適用して第１方向で分割した表示画面の状態を説明する説明図であり、（Ａ）は分割前での第１方向位置操作入力部への操作入力とマウスポインタとの関係を示し、（Ｂ）は第１方向での分割数を２とした状態で第１方向位置操作入力部への操作入力とマウスポインタとの関係を示す。
【図３】本発明の実施の形態に係る電子情報処理装置および情報入力方法を適用して第２方向で分割した表示画面の状態を説明する説明図であり、（Ａ）は分割前での第２方向位置操作入力部への操作入力とマウスポインタとの関係を示し、（Ｂ）は第２方向での分割数を２とした状態で第２方向位置操作入力部への操作入力とマウスポインタとの関係を示す。
【図４】本発明の実施の形態に係る電子情報処理装置および情報入力方法を適用して分割重畳領域を形成した状態を説明する説明図であり、（Ａ）は第１方向での分割数を２とした場合の第１方向分割重畳領域の重畳状態を示し、（Ｂ）は第２方向での分割数を２とした場合の第２方向分割重畳領域の重畳状態を示す。
【図５】本発明の実施の形態に係る電子情報処理装置での情報入力方法の概略フローを示すフローチャートである。
【図６】本発明の実施の形態に係る電子情報処理装置での情報入力方法を適用して図形情報を入力処理するときの概略処理フローを示すフローチャートである。
【図７】図６に示した概略処理フローで表示画面に図形作成ウインドウを開いた状態を示す説明図である。
【図８】図６に示した概略処理フローで表示画面の分割を選択し分割領域を構成した状態を示す説明図である。
【図９】図６に示した概略処理フローで図形種類の選択画面を表示した状態を示す説明図である。
【図１０】図６に示した概略処理フローで作成対象としての図形種類を選択した状態を示す説明図である。
【図１１】図６に示した概略処理フローで作成対象としての１番目の図形入力予定位置に対応する分割領域を選択した状態を示す説明図である。
【図１２】図６に示した概略処理フローで作成対象としての１番目の図形入力予定位置に対する情報入力の確定状態を示す説明図である。
【図１３】図６に示した概略処理フローで作成対象としての２番目の図形入力予定位置に対応する２番目の分割領域を選択した状態を示す説明図である。
【図１４】図６に示した概略処理フローで作成対象としての２番目の図形入力予定位置に対する情報入力の確定状態を示す説明図である。
【図１５】図６に示した概略処理フローで作成対象としての３番目の図形入力予定位置に対応する３番目の分割領域を選択した状態を示す説明図である。
【図１６】図６に示した概略処理フローで作成対象としての３番目の図形入力予定位置に対する情報入力の確定状態を示す説明図である。
【図１７】図６に示した概略処理フローで作成対象としての４番目の図形入力予定位置に対応する４番目の分割領域を選択した状態を示す説明図である。
【図１８】図６に示した概略処理フローで作成対象としての４番目の図形入力予定位置に対する情報入力の確定状態を示す説明図である。
【符号の説明】
【０１８８】
１  情報処理装置
２  入力部
３  情報処理部
４  表示部
２１  位置操作入力部
２１ｈ  第１方向位置操作入力部
２１ｖ  第２方向位置操作入力部
２２  左クリックボタンスイッチ
２３  右クリックボタンスイッチ
２４  キーボード
２５ｆ  表示画面分割指示スイッチ
２５ｓ  表示画面分割指示スイッチ
２６ｆ  分割数選定スイッチ
２６ｓ  分割数選定スイッチ
２７ｆ  分割領域選定スイッチ
２７ｓ  分割領域選定スイッチ
２８ｆ  入力比切換スイッチ
２８ｓ  入力比切換スイッチ
３１  制御部
３２  ＲＯＭ
３３  ＲＡＭ
３４  入出力インターフェース
３６  表示画面分割手段
３６ａ  分割数選定手段
３６ｂ  分割位置表示手段
３６ｃ  分割重畳領域設定手段
３６ｄ  入力対象分割領域選定手段
３６ｅ  選定分割領域中央部表示手段
３６ｆ  補助線表示手段
４１  表示画面
４２ｈ  第１方向分割領域（分割領域）
４２ｈｄ  第１方向分割重畳領域（分割重畳領域）
４２ｈｆ  第１方向第１分割領域（分割領域）
４２ｈｓ  第１方向第２分割領域（分割領域）
４２ｖ  第２方向分割領域（分割領域）
４２ｖｄ  第２方向分割重畳領域（分割重畳領域）
４２ｖｆ  第２方向第１分割領域（分割領域）
４２ｖｓ  第２方向第２分割領域（分割領域）
４４ｈ  分割位置表示マーク
４４ｖ  分割位置表示マーク
４６  図形作成ウインドウ
４７  サブメニューウインドウ
５１  マウスポインタ（入力支援手段）
５１ｈ  補助線
５１ｖ  補助線
Ｄｈｒ  第１方向
Ｄｖｔ  第２方向
ＦＰａ  図形入力予定位置
ＦＰｂ  図形入力予定位置
ＦＰｃ  図形入力予定位置
ＦＰＡ  図形入力確定位置
ＦＰＢ  図形入力確定位置
ＦＰＣ  図形入力確定位置
ＨＰ  操作入力点
【図１】
2009104309.tif 000003
【図２】
2009104309.tif 000004
【図３】
2009104309.tif 000005
【図４】
2009104309.tif 000006
【図５】
2009104309.tif 000007
【図６】
2009104309.tif 000008
【図７】
2009104309.tif 000009
【図８】
2009104309.tif 000010
【図９】
2009104309.tif 000011
【図１０】
2009104309.tif 000012
【図１１】
2009104309.tif 000013
【図１２】
2009104309.tif 000014
【図１３】
2009104309.tif 000015
【図１４】
2009104309.tif 000016
【図１５】
2009104309.tif 000017
【図１６】
2009104309.tif 000018
【図１７】
2009104309.tif 000019
【図１８】
2009104309.tif 000020